【手続補正書】
【提出日】平成18年6月26日(2006.6.26)
【手続補正１】
【補正対象書類名】特許請求の範囲
【補正対象項目名】全文
【補正方法】変更
【補正の内容】
【特許請求の範囲】
【請求項１】
受熱する受熱ジャケットと該受熱ジャケットで受熱した熱を放熱する放熱体と冷媒液を溜めるタンクとを流路によって接続し、該流路を含めて前記受熱ジャケット、前記放熱体及び前記タンクの内部に冷媒液を封入し、液移送手段によって前記封入された冷媒液の循環流を形成する液冷システムであって、
前記冷媒液を溜める流路若しくは空間を、接合される基板と伝熱性及び耐熱性の良い可撓性のフィルム又はシートとの間に設けて前記タンクを構成したことを特徴とする液冷システム。
【請求項２】
受熱する受熱ジャケットと該受熱ジャケットで受熱した熱を放熱する放熱体と冷媒液を溜めるタンクとを流路によって接続し、該流路を含めて前記受熱ジャケット、前記放熱体及び前記タンクの内部に冷媒液を封入し、液移送手段によって前記封入された冷媒液の循環流を形成する液冷システムであって、
入口部から流入された冷媒液を流す放熱流路を、接合される基板と伝熱性及び耐熱性の良い可撓性のフィルム又はシートとの間に設けて前記放熱体を構成したことを特徴とする液冷システム。
【請求項３】
受熱する受熱ジャケットと該受熱ジャケットで受熱した熱を放熱する放熱体と冷媒液を溜めるタンクとを流路によって接続し、該流路を含めて前記受熱ジャケット、前記放熱体及び前記タンクの内部に冷媒液を封入し、液移送手段によって前記封入された冷媒液の循環流を形成する液冷システムであって、
基板と複数枚の伝熱性及び耐熱性の良い可撓性のフィルム又はシートを積層することにより入口部から流入された冷媒液を流す放熱流路を形成した前記放熱体を備え、前記放熱流路に繋がって前記冷媒液を溜める流路若しくは空間を形成した前記タンクを備え、前記放熱流路又は前記タンクの所望の箇所に冷媒液を流出する出口部を接続して設けたことを特徴とする液冷システム。
【請求項４】
請求項３記載の液冷システムにおいて、
前記基板の一方の側と該一方の側に接合される前記伝熱性及び耐熱性の良い可撓性のフィルム又はシートとの間において前記放熱体としての前記放熱流路を形成し、前記基板の他方の側と該他方の側に接合される前記伝熱性及び耐熱性の良い可撓性のフィルム又はシートとの間において前記タンクとしての冷媒液を溜める流路若しくは空間を形成することを特徴とする液冷システム。
【請求項５】
請求項３記載の液冷システムにおいて、
前記基板の一方の側と該一方の側に接合される前記伝熱性及び耐熱性の良い可撓性のフィルム又はシートとの間において前記放熱体としての前記放熱流路を形成し、前記基板の一方と同じ側と該同じ側に接合される前記伝熱性及び耐熱性の良い可撓性のフィルム又はシートとの間において前記タンクとしての冷媒液を溜める流路若しくは空間を形成することを特徴とする液冷システム。
【請求項６】
受熱する受熱ジャケットと該受熱ジャケットで受熱した熱を放熱する放熱体と冷媒液を溜めるタンクとを流路によって接続し、該流路を含めて前記受熱ジャケット、前記放熱体及び前記タンクの内部に冷媒液を封入し、液移送手段によって前記封入された冷媒液の循環流を形成する液冷システムであって、
基板の一方の側に伝熱性及び耐熱性の良い可撓性のフィルム又はシートを接合して入口部から流入された冷媒液を流す放熱流路を形成した前記放熱体を備え、前記基板の他方の側に伝熱性及び耐熱性の良い可撓性のフィルム又はシートを接合して前記放熱流路に繋がって前記冷媒液を溜める流路若しくは空間を形成した前記タンクを備え、前記放熱流路又は前記タンクの所望の箇所に冷媒液を流出する出口部を接続して設けたことを特徴とする液冷システム。
【請求項７】
受熱する受熱ジャケットと該受熱ジャケットで受熱した熱を放熱する放熱体と冷媒液を溜めるタンクとを流路によって接続し、該流路を含めて前記受熱ジャケット、前記放熱体及び前記タンクの内部に冷媒液を封入し、液移送手段によって前記封入された冷媒液の循環流を形成する液冷システムであって、
基板の一方の側に可撓性の伝熱性及び耐熱性の良いフィルム又はシートを接合して入口部から流入された冷媒液を流す放熱流路を形成した前記放熱体を備え、前記基板の一方と同じ側に伝熱性及び耐熱性の良い可撓性のフィルム又はシートを接合して前記放熱流路に繋がって前記冷媒液を溜める流路若しくは空間を形成した前記タンクを備え、前記放熱流路又は前記タンクの所望の箇所に冷媒液を流出する出口部を接続して設けたことを特徴とする液冷システム。
【請求項８】
請求項１乃至７の何れか一つに記載の液冷システムにおいて、
前記伝熱性及び耐熱性の良い可撓性のフィルムまたはシートは、積層構造とすると共に、少なくとも一層を難液体透過性の材料であることを特徴とする液冷システム。
【請求項９】
請求項１乃至７の何れか一つに記載の液冷システムにおいて、
前記伝熱性及び耐熱性の良い可撓性のフィルムまたはシートは、積層構造とすると共に、少なくとも一層を冷媒液に対する非化学反応性の材料であることを特徴とする液冷システム。
【請求項１０】
請求項１乃至７の何れか一つに記載の液冷システムにおいて、
前記伝熱性及び耐熱性の良い可撓性のフィルムまたはシートは、積層構造とすると共に、少なくとも最内側面となる一層を熱可塑性樹脂材料であることを特徴とする液冷システム。
【請求項１１】
受熱する受熱ジャケットと該受熱ジャケットで受熱した熱を放熱する放熱体とを流路によって接続し、該流路を含めて前記受熱ジャケット及び前記放熱体の内部に冷媒液を封入し、液移送手段によって前記封入された冷媒液の循環流を形成する液冷システムであって、
基板の一方の側に伝熱性及び耐熱性の良い可撓性のフィルム又はシートを接合して入口部から流入された冷媒液を流す第１の放熱流路を形成した第１の放熱体を備え、前記基板の他方の側に伝熱性及び耐熱性の良い可撓性のフィルム又はシートを接合して前記第１の放熱流路に繋がって前記冷媒液を流す第２の放熱流路を形成した第２の放熱体を備え、前記第１の放熱流路又は前記第２の放熱流路の所望の箇所に冷媒液を流出する出口部を接続して設け、前記第１及び第２の放熱体により前記放熱体を構成したことを特徴とする液冷システム。
【請求項１２】
受熱する受熱ジャケットと該受熱ジャケットで受熱した熱を放熱する放熱体とを流路によって接続し、該流路を含めて前記受熱ジャケット及び前記放熱体の内部に冷媒液を封入し、液移送手段によって前記封入された冷媒液の循環流を形成する液冷システムであって、
基板の一方の側に伝熱性及び耐熱性の良い可撓性のフィルム又はシートを接合して入口部から流入された冷媒液を流す第１の放熱流路を形成した第１の放熱体を備え、前記基板の一方と同じ側に伝熱性及び耐熱性の良い可撓性のフィルム又はシートを接合して前記第１の放熱流路に繋がって前記冷媒液を流す第２の放熱流路を形成した第２の放熱体を備え、前記第１の放熱流路又は前記第２の放熱流路の所望の箇所に冷媒液を流出する出口部を接続して設け、前記第１及び第２の放熱体により前記放熱体を構成したことを特徴とする液冷システム。
【請求項１３】
請求項１１又は１２記載の液冷システムにおいて、前記第１の放熱体と前記第２の放熱体とを積層するように構成したことを特徴とする液冷システム。
【請求項１４】
請求項１１又は１２記載の液冷システムにおいて、前記第２の放熱体を前記冷却液を溜めるタンクとして構成したことを特徴とする液冷システム。
【請求項１５】
請求項１乃至１４の何れか一つに記載の液冷システムを備え、前記受熱ジャケットが熱接続された半導体素子を有することを特徴とする電子装置。
【請求項１６】
請求項１５記載の電子装置が表示装置として液晶ディスプレイが設けられ、前記放熱体が前記液晶ディスプレイに略平行して設けられたことを特徴とする電子装置。